(57)【要約】  推薦ゴルフボール、ゴルフボール構造およびゴルフボール構造構成要素の構成の選択を評価および提供する方法が提供される。そのような方法は、複数のゴルフボールのそれぞれに関する複数のゴルフクラブに対するスピン測定を得ること、または測定することが関与し得る。そのゴルフボールと関連するスピン測定の組に基づいて、ゴルフボールのそれぞれに関するスピン勾配を決定するために、直線関係が使用され得る。次に、どちらのゴルフボールがより大きいスピン勾配を有するかということに基づいて、推薦ゴルフボール、ゴルフボール構造またはボール構造構成要素の構成の選択が行われ得る。
2014526939.tif 000002
【特許請求の範囲】
【請求項１】
推薦ゴルフボールの選択を提供する方法であって、
（ｉ）（ａ）様々なクラブロフトを有する複数のゴルフクラブの各々についての少なくとも１回のボールスピン測定を含む第１のゴルフボールについての第１の組の測定、および（ｂ）前記複数のゴルフクラブの各々についての少なくとも１回のボールスピン測定を含む第２のゴルフボールについての第２の組の測定を得る工程と、
（ｉｉ）（ａ）前記第１の組の測定に基づく第１のスピン勾配と、（ｂ）前記第２の組の測定に基づくスピン勾配と、を決定する工程と、
（ｉｉｉ）前記第１のゴルフボールと前記第２のゴルフボールとの間で推薦ゴルフボールの選択を提供する工程と、
を含み、
前記推薦ゴルフボールは、前記第１のスピン勾配が前記第２のスピン勾配より大きい場合は前記第１のゴルフボールであり、前記推薦ゴルフボールは、前記第１のスピン勾配が前記第２のスピン勾配以下の場合は前記第２のゴルフボールである、方法。
【請求項２】
前記第１の組の測定は、前記第１のゴルフボールの打撃を測定することによって得られ、前記第２の組の測定は、前記第２のゴルフボールの打撃を測定することによって得られる、請求項１に記載の方法。
【請求項３】
前記複数のクラブロフトの第１のクラブロフトがドライバーと対応し、前記複数のクラブロフトの第２のクラブロフトがウェッジと対応する、請求項１に記載の方法。
【請求項４】
前記第１の組の測定および前記第２の組の測定の一方が複合測定を含む、請求項１に記載の方法。
【請求項５】
前記第１のスピン勾配および前記第２のスピン勾配の一方の少なくとも一部が、測定間の正規化された差に基づく、請求項１に記載の方法。
【請求項６】
前記第１のスピン勾配および前記第２のスピン勾配の一方の少なくとも一部が、正規化された測定に基づく、請求項１に記載の方法。
【請求項７】
前記第１のスピン勾配が、前記第１の組の測定からの回帰直線に基づき、前記第２のスピン勾配が、前記第２の組の測定からの回帰直線に基づく、請求項１に記載の方法。
【請求項８】
前記第１のゴルフボールが、ボール構造構成要素の第１の構成を有し、前記第２のゴルフボールが、前記ボール構造構成要素の第２の構成を有し、前記第１の構成は前記第２の構成とは異なる、請求項１に記載の方法。
【請求項９】
前記ボール構造構成要素が、ピースつまり層の数、ゴルフボールのカバー材料、ゴルフボールのカバー材料の硬度、ゴルフボールのカバーのディンプルの数、および前記ゴルフボールのカバーの厚さの１つである、請求項８に記載の方法。
【請求項１０】
推薦ゴルフボール構造の選択を提供する方法であって、
（ｉ）（ａ）第１のクラブロフトを有する第１のゴルフクラブおよび第２のクラブロフトを有する第２のゴルフクラブの各々についての少なくとも１回のボールスピン測定を含む、第１のボール構造を有する第１のゴルフボールを使用する第１の組の測定、ならびに（ｂ）前記第１のゴルフクラブおよび前記第２のゴルフクラブの各々についての少なくとも１回のボールスピン測定を含む、第２のボール構造を有する第２のゴルフボールを使用する第２の組の測定を得る工程と、
（ｉｉ）（ａ）前記第１の組の測定の間の第１の直線関係、および（ｂ）前記第２の組の測定の間の第２の直線関係を決定する工程と、
（ｉｉｉ）前記第１のゴルフボール構造と前記第２のゴルフボール構造との間で推薦ゴルフボール構造の選択を提供する工程と、
を含み、
前記推薦ゴルフボール構造は、前記第１の直線関係の勾配が前記第２の直線関係の勾配より大きい場合は前記第１のボール構造であり、そして前記推薦ゴルフボール構造は、前記第１の直線関係の勾配が前記第２の直線関係の勾配以下の場合は前記第２のボール構造であり、前記第１のボール構造は前記第２のボール構造とは異なる、方法。
【請求項１１】
前記第１の組の測定および前記第２の組の測定の一方が複合測定を含む、請求項１０に記載の方法。
【請求項１２】
前記第１のゴルフクラブおよび前記第２のゴルフクラブの一方がドライバーであり、かつ他方がウェッジである、請求項１０に記載の方法。
【請求項１３】
前記第１の直線関係が、前記第１の組の測定からの回帰直線に基づき、前記第２の直線関係が、前記第２の組の測定からの回帰直線に基づく、請求項１０に記載の方法。
【請求項１４】
前記第１のゴルフボールが、ボール構造構成要素の第１の構成を有し、前記第２のゴルフボールが、ボール構造構成要素の第２の構成を有し、かつ前記第１の構成は前記第２の構成とは異なる、請求項１０に記載の方法。
【請求項１５】
前記ボール構造構成要素が、ピースつまり層の数、ゴルフボールのカバー材料、ゴルフボールのカバー材料の硬度、ゴルフボールのカバーのディンプルの数、および前記ゴルフボールのカバーの厚さの１つである、請求項１４に記載の方法。
【請求項１６】
前記推薦ゴルフボール構造に従ってゴルフボールを製造する工程をさらに含む、請求項１０に記載の方法。
【請求項１７】
推薦ゴルフボール構造構成要素の構成の選択を提供する方法であって、
（ｉ）（ａ）第１のクラブロフトを有する第１のゴルフクラブで第１のゴルフボールを打ったときの第１のボールスピン、（ｂ）第２のクラブロフトを有する第２のゴルフクラブで前記第１のゴルフボールを打ったときの第２のボールスピン、（ｃ）前記第１のゴルフクラブで第２のゴルフボールを打ったときの第３のボールスピン、および（ｄ）前記第２のゴルフクラブで前記第２のゴルフボールを打ったときの第４のボールスピンを測定する工程と、
（ｉｉ）（ａ）（１）前記第２のボールスピンと前記第１のボールスピンとの差対（２）前記第２のクラブロフトと前記第１のクラブロフトとの差の比率を含む、前記第１のゴルフボールに関する第１のスピン勾配と、（ｂ）（１）前記第４のボールスピンと前記第３のボールスピンとの差対（２）前記第２のクラブロフトと前記第１のクラブロフトとの差の比率を含む、前記第２のゴルフボールに関する第２のスピン勾配と、を決定する工程と、
（ｉｉｉ）少なくとも前記第１のスピン勾配、前記第２のスピン勾配およびスピン勾配基準に基づいて、推薦ゴルフボール構造構成要素の構成の選択を提供する工程と、
を含み、
前記第２のゴルフボールのボール構造構成要素の構成は、前記第１のゴルフボールのボール構造構成要素の構成とは異なる、方法。
【請求項１８】
前記第１のゴルフクラブおよび前記第２のゴルフクラブの一方がドライバーであり、かつ他方がウェッジである、請求項１７に記載の方法。
【請求項１９】
前記スピン勾配基準が、前記第１のスピン勾配と前記第２のスピン勾配のいずれがより大きいスピン勾配であるかということであり、前記第１のスピン勾配がより大きいスピン勾配である場合、前記推薦ゴルフボールは前記第１のゴルフボールである、請求項１７に記載の方法。
【請求項２０】
前記ボール構造構成要素が、ピースつまり層の数、ゴルフボールのカバー材料、ゴルフボールのカバー材料の硬度、ゴルフボールのカバーのディンプルの数、および前記ゴルフボールのカバーの厚さのうちの１つである、請求項１７に記載の方法。
【請求項２１】
前記推薦ゴルフボールのボール構造構成要素の構成に従ってゴルフボールを製造する工程をさらに含む、請求項１７に記載の方法。
【請求項２２】
ゴルフボールフィッティングシステムで使用するためのゴルフボール性能特性決定であって、少なくとも第１のボールスピン測定、第２のボールスピン測定および第３のボールスピン測定間の直線関係を含み、前記第１のボールスピン測定が、第１のクラブロフトを有する第１のゴルフクラブでゴルフボールを打ったときに得られ、前記第２のボールスピン測定が、前記第１のクラブロフトより大きい第２のクラブロフトを有する第２のゴルフクラブで前記ゴルフボールを打ったときに得られ、前記第３のボールスピン測定が、前記第２のクラブロフトより大きい第３のクラブロフトを有する第３のゴルフクラブで前記ゴルフボールを打ったときに得られる、ゴルフボール性能特性決定。
【請求項２３】
前記第１のボールスピン測定、前記第２のボールスピン測定および前記３回目のボールスピン測定の１つが複合測定を含む、請求項２２に記載のゴルフボール性能特性決定。
【請求項２４】
前記第１のゴルフクラブがドライバーであり、前記第２のゴルフクラブはアイアンであり、前記第３のゴルフクラブはウェッジである、請求項２２に記載のゴルフボール性能特性決定。
【請求項２５】
前記直線関係が、前記第１のボールスピン測定、前記第２のボールスピン測定、および前記第３のボールスピン測定からの回帰直線に基づく、請求項２２に記載のゴルフボール性能特性決定。
【請求項２６】
前記直線関係の少なくとも一部が、測定間の正規化された差に基づく、請求項２２に記載のゴルフボール性能特性決定。
【請求項２７】
前記直線関係の少なくとも一部が、正規化された測定に基づく、請求項２２に記載のゴルフボール性能特性決定。
【請求項２８】
推薦ゴルフボールの選択を提供する方法であって、
（ｉ）（ａ）第１の様々なロフトを有しつつ対象物を複数回打つことによるプレーヤーによる打撃からの第１の組のボールスピン測定、および（ｂ）第２の様々なロフトを有しつつ対象物を複数回打つことによる基準の打撃からの第２の組のボールスピン測定を得る工程と、
（ｉｉ）（ａ）第１の組のボールスピン測定間の第１の直線関係と、（ｂ）第２の組のボールスピン測定間の第２の直線関係と、を決定する工程と、
（ｉｉｉ）少なくとも前記第１の直線関係、前記第２の直線関係およびスピン勾配基準に基づき、第１のゴルフボールと第２のゴルフボールとの間で推薦されるゴルフボールの選択を提供する工程と、
を含み、
前記第２のゴルフボールのボール構造構成要素の構成は、前記第１のゴルフボールのボール構造構成要素の構成とは異なる、方法。
【請求項２９】
第１の組の測定および第２の組の測定の一方が複合測定を含む、請求項２８に記載の方法。
【請求項３０】
第２の組の測定が、機械に基づく打撃時のゴルフボールスピンの測定によって得られる、請求項２８に記載の方法。
【請求項３１】
第２の組の測定が予め測定される、請求項２８に記載の方法。
【請求項３２】
前記第１の複数回対象物を打つことおよび前記第２の複数回対象物を打つことの一方が、複数のゴルフクラブを含む、請求項２８に記載の方法。
【請求項３３】
前記第１の複数回対象物を打つことのうちの第１の対象物を打つことがドライバーであり、かつ前記第１の複数回対象物を打つことのうちの第２の対象物を打つことがウェッジである、請求項２８に記載の方法。
【請求項３４】
前記ボール構造構成要素が、ピースつまり層の数、ゴルフボールのカバー材料、ゴルフボールのカバー材料の硬度、ゴルフボールのカバーのディンプルの数、および前記ゴルフボールのカバーの厚さの１つである、請求項２８に記載の方法。
【請求項３５】
前記第１の直線関係および前記第２の直線関係の一方の少なくとも一部が、測定間の正規化された差に基づく、請求項２８に記載の方法。
【請求項３６】
前記第１の直線関係および前記第２の直線関係の一方の少なくとも一部が、正規化された測定に基づく、請求項２８に記載の方法。
【請求項３７】
前記第１の直線関係が、第１の組の測定の回帰直線に基づく、請求項２８に記載の方法。
【請求項３８】
前記スピン勾配基準が、前記第１の直線関係および前記第２の直線関係のいずれがより大きい直線関係であるかということであり、かつ前記第１の直線関係がより大きい直線関係である場合、前記推薦ゴルフボールは前記第１のゴルフボールである、請求項２８に記載の方法。
【請求項３９】
推薦ゴルフボールの選択を提供する方法であって、
（ｉ）（ａ）第１のクラブロフトを有する第１のゴルフクラブで第１のゴルフボールを打ったときの第１のボールスピン測定、（ｂ）第２のクラブロフトを有する第２のゴルフクラブで前記第１のゴルフボールを打ったときの第２のボールスピン測定、（ｃ）第３のクラブロフトを有する第３のゴルフクラブで第２のゴルフボールを打つことに関する第３のボールスピン測定、および（ｄ）第４のクラブロフトを有する第４のゴルフクラブで前記第２のゴルフボールを打つことに関する第４のボールスピン測定を得る工程と、
（ｉｉ）（ａ）（１）前記第２のボールスピン測定と前記第１のボールスピン測定との差対（２）前記第２のクラブロフトと前記第１のクラブロフトとの差の比率を含む、前記第１のゴルフボールに関する第１のスピン勾配と、（ｂ）（１）前記第４のボールスピン測定と前記第３のボールスピン測定との差対（２）前記第４のクラブロフトと前記第３のクラブロフトとの差の比率を含む、前記第２のゴルフボールに関する第２のスピン勾配と、を決定する工程と、
（ｉｉｉ）少なくとも前記第１のスピン勾配、前記第２のスピン勾配およびスピン勾配基準に基づいて、推薦ゴルフボールの選択を提供する工程と、
を含み、
前記第２のゴルフボールのボール構造構成要素の構成は、前記第１のゴルフボールのボール構造構成要素の構成とは異なる、方法。
【請求項４０】
前記第１のゴルフクラブおよび前記第３のゴルフクラブの両方がドライバーであり、前記第２のゴルフクラブおよび前記第４のゴルフクラブの両方がウェッジである、請求項３９に記載の方法。
【請求項４１】
前記第１のクラブロフトが前記第３のクラブロフトと実質的に同一であり、前記第２のクラブロフトが前記第４のクラブロフトと実質的に同一である、請求項３９に記載の方法。
【請求項４２】
前記スピン勾配基準が、前記第１のスピン勾配と前記第２のスピン勾配のいずれが大きいスピン勾配であるかということであり、前記第１のスピン勾配がより大きいスピン勾配である場合、前記推薦ゴルフボールは前記第１のゴルフボールである、請求項３９に記載の方法。
【請求項４３】
前記ボール構造構成要素が、ピースつまり層の数、ゴルフボールのカバー材料、ゴルフボールのカバー材料の硬度、ゴルフボールのカバーのディンプルの数、および前記ゴルフボールのカバーの厚さの１つである、請求項３９に記載の方法。
【発明の詳細な説明】
【技術分野】
【０００１】
関連出願の相互参照
本願は、米国特許法第１１９条（ｅ）に基づき、２０１１年８月２３日出願の「Ｍｅｔｈｏｄｓ  Ｆｏｒ  Ｓｅｌｅｃｔｉｎｇ  Ｇｏｌｆ  Ｂａｌｌｓ」という名称の米国仮特許出願第６１／５２６，６６０号明細書の優先権を主張する。上記米国仮特許出願は、本願の参照となる。
【背景技術】
【０００２】
ゴルフのゲームの起源は、コースの中で加工木材のボールを打つことであった。やがて、木製ボールよりもレザーカバーで羽毛を詰めたボール（「フェザー球」）のほうが性能が上回り、次に、これよりもゴムをベースとするガタパーチャボール（「ゴム球」）のほうが性能が上回り、それらに置き換えられていった。一世紀以上前に、糸巻きゴムコアおよびディンプルカバーを有するボールがゴルフスポーツの優位を占めるようになった。より近代では、ピースつまり層の数、その中に組み込まれる材料、ならびにディンプルの構造および数などのゴルフボール構造の様々な構成要素の進歩によって、性能特性の改善がもたらされている。そのような進歩は、「ゴルフボールを改善するために何が必要か」という課題に取り組んできたのである。
【０００３】
より良好なゴルフボールを製造することに関する課題の一つは、ティーからホールに至るまで、ゴルフボールの性能特性を改善するということである。例えば、スピンの傾向が少ないボールを製造するために、ゴルフボール構造の様々な構成要素が変更され得る。スピンの低減によって、ティーなどにおいてドライバーでボールを打つときに距離の増加が達成されて、ゴルファーのロングゲーム（すなわち、ホールから比較的離れて行われるショット）が改善され得る。しかし、スピンの傾向が少ないボールは、同時に、ウェッジで打った後に、グリーンにより近く、ボールが急停止する能力が損なわれることによって、ゴルファーのショートゲーム（すなわち、ホールの比較的近くで行われるショット）を悪化させ得る。反対に、スピンの傾向がより高いボールを製造するためにゴルフボール構造の様々な構成要素を変更することで、ウェッジで打ったときにボールを急停止させることが可能となって、ゴルファーのショートゲームが改善され得るが、同時にボール上でのスピンの増加によりボールの弾道が短縮されて、ゴルファーのロングゲームは損なわれ得る。
【発明の概要】
【発明が解決しようとする課題】
【０００４】
ティーから打たれるときのみ、グリーンの近く、またはグリーン上でのみではなく、「バッグ全体で」またはホールからの全ての距離で性能を改善するような方法で、すなわち、ゴルファーのロングゲームおよびショートゲームの両方を改善するような方法で、様々なゴルフボール構造構成要素を変更することが必要とされている。したがって、ゴルフクラブの全範囲に渡ってゴルファーの性能を改善するゴルフボールの加工および製造を補助するため、様々なゴルフボールの間で、または様々なゴルフボール構造の間での選択を評価し、提供することが必要とされている。同様に、ゴルフクラブの全範囲に渡ってゴルファーの性能を改善し得る、推薦ゴルフボールの選択を提供することを補助するために、特定のゴルファーのスイングに固有の性能特性を評価することが必要とされている。
【課題を解決するための手段】
【０００５】
一態様において、本発明は、推薦ゴルフボールの選択を提供する方法を含む。一工程において、この方法は、（ａ）異なるクラブロフトを有する複数のゴルフクラブの各々に対する少なくとも１回のボールスピン測定を含む、第１のゴルフボールについての第１の組の測定、および（ｂ）複数のゴルフクラブの各々に対する少なくとも１回のボールスピン測定を含む、第２のゴルフボールについての第２の組の測定を得ることを含む。別の工程において、この方法は、（ａ）第１の組の測定に基づく第１のスピン勾配、および（ｂ）第２の組の測定に基づく第２のスピン勾配を決定することを含む。別の工程において、この方法は、第１のゴルフボールと第２のゴルフボールとの間で推薦されるゴルフボールの選択を提供することを含む。推薦ゴルフボールは、第１のスピン勾配が第２のスピン勾配より大きい場合は第１のゴルフボールであり、そして推薦ゴルフボールは、第１のスピン勾配が第２のスピン勾配以下の場合は第２のゴルフボールである。
【０００６】
他の態様において、本発明は、推薦ゴルフボール構造の選択を提供する方法を含む。一工程において、この方法は、（ａ）第１のクラブロフトを有する第１のゴルフクラブおよび第２のクラブロフトを有する第２のゴルフクラブの各々に対する少なくとも１回のボールスピン測定を含む、第１のボール構造を有する第１のゴルフボールを使用する第１の組の測定、ならびに（ｂ）第１のゴルフクラブおよび第２のゴルフクラブの各々に対する少なくとも１回のボールスピン測定を含む、第２のボール構造を有する第２のゴルフボールを使用する第２の組の測定を得ることを含む。別の工程において、この方法は、（ａ）第１の組の測定の間の第１の直線関係、および（ｂ）第２の組の測定の間の第２の直線関係を決定することを含む。別の工程において、この方法は、第１のゴルフボール構造と第２のゴルフボール構造との間で推薦ゴルフボール構造の選択を提供することを含む。推薦ゴルフボール構造は、第１の直線関係の勾配が第２の直線関係の勾配より大きい場合は第１のボール構造であり、そして推薦されるゴルフボール構造は、第１の直線関係の勾配が第２の直線関係の勾配以下の場合は第２のボール構造であり、かつ第１のボール構造は第２のボール構造とは異なる。
【０００７】
他の態様において、本発明は、推薦ゴルフボール構造構成要素の構成の選択を提供する方法を含む。一工程において、この方法は、（ａ）第１のクラブロフトを有する第１のゴルフクラブで第１のゴルフボールを打ったときの第１のボールスピン、（ｂ）第２のクラブロフトを有する第２のゴルフクラブで第１のゴルフボールを打ったときの第２のボールスピン、（ｃ）第１のゴルフクラブで第２のゴルフボールを打ったときの第３のボールスピン、および（ｄ）第２のゴルフクラブで第２のゴルフボールを打ったときの第４のボールスピンを測定することを含む。別の工程において、この方法は、（ａ）（１）第２のボールスピンと第１のボールスピンとの差対（２）第２のクラブロフトと第１のクラブロフトとの差の比率を含む、第１のゴルフボールに関する第１のスピン勾配、および（ｂ）（１）第４のボールスピンと第３のボールスピンとの差対（２）第２のクラブロフトと第１のクラブロフトとの差の比率を含む、第２のゴルフボールに関する第２のスピン勾配を決定することを含む。別の工程において、この方法は、少なくとも第１のスピン勾配、第２のスピン勾配およびスピン勾配基準に基づいて、推薦ゴルフボール構造構成要素の構成の選択を提供することを含む。第２のゴルフボールのボール構造構成要素の構成は、第１のゴルフボールのボール構造構成要素の構成とは異なる。
【０００８】
他の態様において、本発明は、ゴルフボールフィッティングシステムで使用するためのゴルフボール性能特性決定を含む。ゴルフボール性能特性決定は、少なくとも第１のボールスピン測定、第２のボールスピン測定および第３のボールスピン測定間の直線関係を含んでなる。第１のボールスピン測定は、第１のクラブロフトを有する第１のゴルフクラブでゴルフボールを打ったときに得られる。第２のボールスピン測定は、第１のクラブロフトより大きい第２のクラブロフトを有する第２のゴルフクラブでゴルフボールを打ったときに得られる。第３のボールスピン測定は、第２のクラブロフトより大きい第３のクラブロフトを有する第３のゴルフクラブでゴルフボールを打ったときに得られる。
【０００９】
他の態様において、本発明は、推薦ゴルフボールの選択を提供する方法を含む。一工程において、この方法は、（ａ）第１の様々なロフトを有しつつ対象物を複数回打つことによるプレーヤーによる打撃からの第１の組のボールスピン測定、および（ｂ）第２の様々なロフトを有しつつ対象物を複数回打つことによる基準の打撃からの第２の組のボールスピン測定を得ることを含む。別の工程において、この方法は、（ａ）第１の組のボールスピン測定間における第１の直線関係、および（ｂ）第２の組のボールスピン測定間における第２の直線関係を決定することを含む。別の工程において、この方法は、少なくとも第１の直線関係、第２の直線関係およびスピン勾配基準に基づき、第１のゴルフボールと第２のゴルフボールとの間で推薦されるゴルフボールの選択を提供することを含む。第２のゴルフボールのボール構造構成要素の構成は、第１のゴルフボールのボール構造構成要素の構成とは異なる。
【００１０】
他の態様において、本発明は、推薦ゴルフボールの選択を提供する方法を含む。一工程において、この方法は、（ａ）第１のクラブロフトを有する第１のゴルフクラブで第１のゴルフボールを打ったときの第１のボールスピン測定、（ｂ）第２のクラブロフトを有する第２のゴルフクラブで第１のゴルフボールを打ったときの第２のボールスピン測定、（ｃ）第３のクラブロフトを有する第３のゴルフクラブで第２のゴルフボールを打つことに関する第３のボールスピン測定、および（ｄ）第４のクラブロフトを有する第４のゴルフクラブで第２のゴルフボールを打つことに関する第４のボールスピン測定を得ることを含む。別の工程において、この方法は、（ａ）（１）第２のボールスピン測定と第１のボールスピン測定との差対（２）第２のクラブロフトと第１のクラブロフトとの差の比率を含む、第１のゴルフボールに関する第１のスピン勾配と、（ｂ）（１）第４のボールスピン測定と第３のボールスピン測定との差対（２）第４のクラブロフトと第３のクラブロフトとの差の比率を含む、第２のゴルフボールに関する第２のスピン勾配と、を決定することを含む。別の工程において、この方法は、少なくとも第１のスピン勾配、第２のスピン勾配およびスピン勾配基準に基づいて、推薦ゴルフボールの選択を提供することを含む。第２のゴルフボールのボール構造構成要素の構成は、第１のゴルフボールのボール構造構成要素の構成とは異なる。
【００１１】
本発明の他のシステム、方法、特徴および利点は、以下の図面および詳細な説明を考察することによって、当業者に明白であるか、または明白となるであろう。全てのそのような追加的なシステム、方法、特徴および利点は、本記載および本要約に含まれ、本発明の範囲内であり、そして以下の請求の範囲によって保護されることが意図される。
【００１２】
本発明は、以下の図面および記載を参照することによって、より良好に理解することができる。図中の構成要素は、必ずしも一定の比率ではなく、その代わりに、本発明の原理を説明することが強調される。そのうえ、図中の同様の参照番号は、各図において互いに対応する部分を示す。
【図面の簡単な説明】
【００１３】
【図１】図１は、ゴルフクラブの第１の実施形態とともにゴルフボールの第１の実施形態を使用しているゴルファーを示す。
【図２】図２は、ゴルフクラブの第２の実施形態とともにゴルフボールの第１の実施形態を使用しているゴルファーを示す。
【図３】図３は、ゴルフクラブの第１の実施形態とともにゴルフボールの第２の実施形態を使用しているゴルファーを示す。
【図４】図４は、ゴルフクラブの第２の実施形態とともにゴルフボールの第２の実施形態を使用しているゴルファーを示す。
【図５】図５は、ゴルフクラブの第１の実施形態を示す。
【図６】図６は、ゴルフクラブの第２の実施形態を示す。
【図７】図７は、異なる層の構成を有するゴルフボールの他の実施形態を示す。
【図８】図８は、異なる層の構成を有するゴルフボールの他の実施形態を示す。
【図９】図９は、異なる層の構成を有するゴルフボールの他の実施形態を示す。
【図１０】図１０は、異なるディンプルの構成を有するゴルフボールの他の実施形態を示す。
【図１１】図１１は、異なるディンプルの構成を有するゴルフボールの他の実施形態を示す。
【図１２】図１２は、異なるディンプルの構成を有するゴルフボールの他の実施形態を示す。
【図１３】図１３は、異なるカバー層厚さの構成を有するゴルフボールの他の実施形態を示す。
【図１４】図１４は、異なるカバー層厚さの構成を有するゴルフボールの他の実施形態を示す。
【図１５】図１５は、異なるカバー層厚さの構成を有するゴルフボールの他の実施形態を示す。
【図１６】図１６は、ｘ／ｙ座標系において、ゴルフボールの第１の実施形態と対応するデータポイントの組、およびその間の勾配を示す。
【図１７】図１７は、ｘ／ｙ座標系の他の実施形態を示す。
【図１８】図１８は、ｘ／ｙ座標系の他の実施形態を示す。
【図１９】図１９は、ｘ／ｙ座標系の他の実施形態を示す。
【図２０】図２０は、ゴルフボールの第１の実施形態およびゴルフボールの第２の実施形態と関連するデータポイントの組、およびその間の勾配を示す。
【図２１】図２１は、ゴルフボールの他の実施形態と関連するデータポイントの組を示す。
【図２２】図２２は、ゴルフボールの他の実施形態と関連するデータポイントの組を示す。
【図２３】図２３は、ゴルフボールの他の実施形態と関連するデータポイントの組を示す。
【図２４】図２４は、ゴルフボールの他の実施形態と関連するデータポイントの組を示す。
【図２５】図２５は、ゴルフボールのもう１つの他の実施形態と関連するデータポイントの組を示す。
【図２６】図２６は、ゴルフボールのさらに他の実施形態と関連するデータポイントのさらに別の組を示す。
【図２７】図２７は、ゴルフボールのさらに他の実施形態と関連するデータポイントのさらに別の組を示す。
【発明を実施するための形態】
【００１４】
推薦ゴルフボールの選択を提供するための方法を以下に記載する。また、推薦されるゴルフボール構造の選択を提供するための方法、ならびに推薦ゴルフボール構造構成要素の構成の選択を提供するための方法も記載する。
【００１５】
図１は、ゴルフコース１０５０のフェアウェイ１０６０においてゴルフゲームをプレーしているゴルファー１０００を示す。ゴルファー１０００は、まだホールからは離れており、第１のゴルフクラブ１２００で第１のゴルフボール１１００においてスイングして打つことによって、ゴルフショットを行った。ゴルファー１０００がまだフェアウェイ１０６０の初期の部分でプレーしているため、第１のゴルフクラブ１２００は、ウッドなどのドライバーか、または主にゴルファー１０００がスイングの結果として最大距離を達成することを補助するように設計された別のクラブであってよい。図５に示されるように、第１のゴルフクラブ１２００は、垂直線（すなわち、クラブシャフトと平行な線）に対するクラブの表面の角を表す第１のクラブロフト１２０２を有する。第１のゴルフクラブ１２００の第１のクラブロフト１２０２は、低範囲のゴルフクラブロフトであり、これはゴルファーがゴルフボールを打つときに達成する距離を最大にすることに役立つ。
【００１６】
図１に戻って、スイングの間、ゴルファー１０００は第１の目標スポット１２１０を目指していた。スイングから生じる打撃によって、第１の弾道１２２０に沿って第１のゴルフボール１１００が送られて、第１の目標スポット１２１０付近の第１の接触スポット１２３０においてフェアウェイ１０６０に衝突した。第１の接触スポット１２３０に衝突した後、第１のゴルフボール１１００は、第１の接触スポット１２３０からいくらかの距離を、はねるか、または転がって、そして第１の停止スポット１２４０で停止し得る。
【００１７】
次に、図２は、プレーがホール１０８０の近くまで進んだ時点でのゴルファー１０００を示す。ゴルファー１０００は、今やグリーン１０７０の上におり、第２のゴルフクラブ１３００で第１のゴルフボール１１００においてスイングして打つことによって、もう１回のゴルフショットを行った。ゴルファー１０００がグリーン１０７０で、ホール１０８０の近くでプレーしているため、第２のゴルフクラブ１３００は、ピッチングウェッジなどのウェッジか、または主にゴルファー１０００がスイングの結果として、比較的短く、制御された距離を達成することを補助するように設計された別のクラブであってよい。図６に示されるように、第２のゴルフクラブ１３００は、垂直線（すなわち、クラブシャフトと平行な線）に対するクラブの表面の角を表す第２のクラブロフト１３０２を有する。第２のクラブロフト１３０２は、高範囲のゴルフクラブロフトであり、これはゴルファーが打撃時に達成するゴルフボールの最終位置をより正確に制御にすることに役立つ。
【００１８】
図２に戻って、スイングの間、ゴルファー１０００は、ホール１０８０の近くの第２の目標スポット１３１０を目指していた。スイングから生じる打撃によって、第２の弾道１３２０に沿って第１のゴルフボール１１００が送られて、第２の目標スポット１３１０付近の第２の接触スポット１３３０においてグリーン１０７０に衝突した。第２の接触スポット１３３０に衝突した後、第１のゴルフボール１１００は、第２の接触スポット１３３０からいくらかの距離を、はねるか、または転がって、そして第２の停止スポット１３４０で停止し得る。
【００１９】
一般的に言って、ゴルフショットは、様々なゴルフショットパラメーターによって影響を受け得る。いくつかのゴルフショットパラメーターは、スイングパラメーターであり得、そしてゴルファーのスイングの機構または特性によって影響され得る。他のゴルフショットパラメーターは、打ち出し条件パラメーターであり得、そしてゴルファーのスイング機構およびゴルフボールの構造によって影響され得る。さらなるゴルフショットパラメーターは、ボール飛翔パラメーターであり得、そしてゴルフボールの構造および環境条件によって影響され得る。様々なゴルフショットパラメーターは、ゴルフショットを行う際に使用されるゴルフクラブの構造によって影響され得る。
【００２０】
いくつかのスイングパラメーターは、スイング速度、クラブ軌道および迎え角を含み得る。スイング速度は、クラブヘッド速度であり得る。クラブ軌道は、クラブヘッドの位置、面角またはロフトを含み得、これは、静的に特定の時間（例えば、ボールとクラブとの間のインパクトまたは接触の瞬間）に、そして静的または参考位置に関して測定されてもよい（例えば、垂直面においてゴルフクラブシャフトに対するロフトおよびライ角の測定など）。クラブ軌道は、例えば、多次元ベクトルによって表されるクラブヘッドの軌道または方向を含んでもよい。迎え角は、垂直参考方向および意図された、または目標の方向によって定義される平面の多次元角でもよい。
【００２１】
打ち出し条件パラメーターは、打ち出し角、ボール速度または初速、ボールスピンまたは初期方向を含む。ボールスピンは、ボールバックスピン（すなわち水平軸に関するスピン）、またはボールサイドスピン（すなわち水平面に対するバックスピンの角）でもよい。初期方向は、オフライン角などの意図された目標方向に対する角でもよい。さらに初期角は、打ち出し角とオフライン角とを組み合わせる打ち出し条件パラメーターでもよい。打ち出し条件パラメーターは、ボールを打ったときの音の品質などの音響パラメーターを含んでもよい。
【００２２】
ボール飛翔パラメーターは、ディンプル数、ディンプル構成および慣性モーメントなどのボール構造に関連するパラメーターを含んでもよい。ボール飛翔パラメーターは、風の特性（すなわち、風速および方向）、標高、相対湿度および気象状況（すなわち、雨、みぞれ、ひょうまたは雪）などの環境条件に関連するパラメーターを含んでもよい。他のゴルフショットパラメーターは、キャリーまたは飛翔距離、転がる距離および全距離を含んでもよい。
【００２３】
図１および２に戻って、第１の弾道１２２０および第２の弾道１３２０は、初期角、ボールバックスピン、ボールサイドスピンおよび初速などのゴルフショットパラメーターによって特徴づけられてもよい。これらのパラメーターのそれぞれは、ゴルファーによるゴルフクラブの選択に影響を受け得る。例えば、ボールバックスピンは、第１のゴルフクラブ１２００などのクラブで打ったボールに関しては比較的低くなり得る。次に、比較的低いボールバックスピンは、ゴルファーが、比較的より直線の弾道を提供することによって打撃時に達成される距離を最大にするために役立ち得る。あるいは、ボールバックスピンは、第２のゴルフクラブ１３００などのクラブで打ったボールに関しては、比較的高くなり得る。次に、比較的高いボールバックスピンは、ゴルファーが、接触スポットからボールがはねるか、または転がる傾向を打ち消すことによって打撃時に達成されるゴルフボールの最終位置をより正確に制御するために役立ち得る。
【００２４】
同時に、ゴルフボールの構造は、弾道の形状または弾道が延長する距離などの衝突時のゴルフボールの弾道に影響を及ぼし得る。ゴルフボールの構造は、ボールが地面に衝突する接触スポットと、ボールが停止する停止スポットとの間をゴルフボールがはねるか、または転がる様式にも影響を及ぼし得る。したがって、第１のゴルフボール１１００の構造は、第１の弾道１２２０、第１のゴルフボール１１００が第１の接触スポット１２３０と第１の停止スポット１２４０との間ではねるか、または転がる様式、あるいはその両方に影響を及ぼし得る。同様に、第１のゴルフボール１１００の構造は、第２の弾道１３２０、第１のゴルフボール１１００が第２の接触スポット１３３０と第２の停止スポット１３４０との間ではねるか、または転がる様式、あるいはその両方に影響を及ぼし得る。
【００２５】
一般には、特定のゴルフボールの構造は、多数の構成要素を含む。関係するボール構造構成要素は、例えば、ゴルフボール内のピースつまり層の数、ゴルフボールのカバー材料、ゴルフボールのカバー材料の硬度、内側コア、外側コアまたは両方などの１つまたは複数のコア部分、ならびに１つまたは複数のマントル層などの中間層のために使用される材料、ゴルフボールのカバーのディンプルの数、およびゴルフボールのカバーの厚さを含み得る。他のボール構造構成要素は、例えば、ゴルフボールのカバーのディンプルの形状、パターンまたは他の構成、色またはしるしなどの美的な考慮すべき事柄、および外部刺激に対するゴルフボールの物理的応答に影響を及ぼす構造の他の態様が含まれ得る。
【００２６】
ゴルフボールのカバー部分、ならびにゴルフボールのコア部分のために使用される構造のそれぞれのピースつまり層は、厚さなどの物理的特性を有してもよく、様々な材料のいずれかから形成されてもよい。構造のピースつまり層を形成するために使用されるそれぞれの材料は、次に、例えば、密度および硬度などの物理的特性を有してもよい。そのうえ、構造の特定のピースつまり層内の材料の物理的特性は、そのピースつまり層内で変化してもよい。ピースつまり層の材料の物理的特性は、ピースつまり層を通して一定でなくてもよいが、例えば、ゴルフボールの中心からの材料内の各点の距離の関数として変化してもよい。すなわち、物理的特性は、材料内で勾配があってもよい。
【００２７】
一般に、本明細書に特に記載されない層のいずれかの配列に関して、いずれの層も、目的のために適切ないずれかの材料から製造されていてよい。ゴルフボールに用いられる適切な既知の材料には、ゴム、スチレンブタジエン、ポリブタジエン、イソプレン、ポリイソプレン、ある種のポリウレタンおよびトランスイソプレンなどの熱硬化性材料が含まれる。既知の材料には、イオノマー樹脂、ポリアミドまたはポリエステルおよび熱可塑性ポリウレタンエラストマーなどの熱可塑性物質も含まれる。適切な材料には、ポリウレア組成物、ならびに他の材料も含まれる。
【００２８】
例えば、カバー層は、ゴルフクラブによって容易にボールにスピンが与えられるために十分軟質でありながらも、強靭であって、かき傷に対する抵抗があるべきである。したがって、熱可塑性ポリウレタン（ＴＰＵ）および熱硬化性ポリウレタンはカバー層のために適切であり、高度に中和されたポリマーおよび他のイオノマーが既知である。特にかき傷耐性ではない熱可塑性ポリウレタンは、層を成形する前、間および／または後に、表面処理または他の処理などによって、表面を硬化するために処理することができる。適切なイオノマーには、Ｅ．Ｉ．ＤｕＰｏｎｔ  ｄｅ  Ｎｅｍｏｕｒｓ  ａｎｄ  Ｃｏｍｐａｎｙ製のイオノマーポリマーのＳｕｒｌｙｎ（登録商標）のメンバーおよびＥｘｘｏｎ  Ｍｏｂｉｌ  Ｃｈｅｍｉｃａｌ  Ｃｏｒｐｏｒａｔｉｏｎ製の製品のｌｏｔｅｋ（登録商標）のメンバーが含まれる。さらに、バラタなどのカバー用の他の従来の材料が使用されてもよい。
【００２９】
ゴルフボール構造構成要素のそれぞれは、ゴルフボールの１つまたは複数の部分の性質に関して明示される。したがって、図１および２に関して、ゴルファー１０００が、ゴルフボールにおいてスイングして打つことによってゴルフショットが行われるとき、ゴルフボールの構造の１つまたは複数の構成要素がゴルフボールの弾道、またはボールが地面に衝突する接触スポットと、ボールが停止する停止スポットとの間をゴルフボールがはねるか、または転がる様式に影響を及ぼし得る。
【００３０】
したがって、１つまたは複数のボール構造構成要素は、初期角、ボールバックスピン、ボールサイドスピンおよび初速などの１つまたは複数のゴルフショットパラメーターに影響を及ぼし得る。そのうえ、ゴルフボール構造構成要素の特定の構成は、一方では、低ロフト角を有するクラブで打つときにゴルフボールの弾道に影響を及ぼし得、そして他方では、高ロフト角を有するクラブに打つときにゴルフボールの弾道に影響を及ぼし得る。
【００３１】
図３は、ゴルフコース１０５０のフェアウェイ１０６０においてゴルフをプレーしているゴルファー１０００を示す。図１と同様に、ゴルファー１０００は、ホールから遠く、第１のゴルフクラブ１２００でゴルフショットを行った。しかし、図３では、ゴルファー１０００は、第１のゴルフボール１１００の構造と異なる構造を有する第２のゴルフボール２１００においてスイングした。
【００３２】
とりわけ、第２のゴルフボール２１００の１つまたは複数の基礎のボール構造構成要素の構成は、第１のゴルフボール１１００の同様の基礎のボール構造構成要素の構成とは異なる。その結果、第２のゴルフボール２１００は、実質的に同一のスイングが与えられて機能する第１のゴルフボール１１００とは異なるように機能してもよい。第２のゴルフボール２１００と第１のゴルフボール２２００との間の基礎のボール構造構成要素の構成の差異は、初期角、ボールバックスピン、ボールサイドスピンおよび初速などのゴルフショットパラメーターに影響を及ぼし得る。
【００３３】
ゴルファー１０００は、図３において、図１の場合と実質的に同様にゴルフクラブ１２００をスイングして、第１の目標スポット１２１０を目指していた。しかし、第２のゴルフボール２１００と第１のゴルフボール１１００との間のボール構造構成要素の差異のために、第２のゴルフボール２１００の第１の弾道１２２０は、より長い距離で伸びる。その結果、第２のゴルフボール２１００を使用したときの第１の接触スポット１２３０および第１の停止スポット１２４０は、第１のゴルフボール１１００を使用したときの第１の接触スポット１２３０および第１の停止スポット１２４０よりも、ゴルファー１０００から遠く離れている。ゴルファー１０００は、図３において、図１の場合と実質的に同様に第１のゴルフクラブ１２００をスイングしたため、これらの差異は、初期角、ボールバックスピン、ボールサイドスピンおよび初速などのゴルフショットパラメーターに影響を与えた第２のゴルフボール２１００と第１のゴルフボール１１００との間の基礎のボール構造構成要素の差異による。
【００３４】
例えば、第２のゴルフボール２１００の１つまたは複数のボール構造構成要素の差異は、第１のゴルフクラブ１２００のスイングから生じる第２のゴルフボール２１００のボールバックスピンをもたらし得るが、これは、第１のゴルフクラブ１２００の実質的に同一のスイングから生じる第１のゴルフボール１１００のボールバックスピンと比較して低減している。ボール構造構成要素の差異に起因する第２のゴルフボール２１００のこのような低減したボールバックスピンは、ゴルファーが、第１のゴルフクラブ１２００で第２のゴルフボール２１００を打ったときに達成される距離を最大にするために役立ち得る。
【００３５】
図４においては、ゴルファー１０００は、ゴルフコース１０５０のフェアウェイ１０６０であるグリーン１０７０上でゴルフをプレーしている。図２と同様に、ゴルファー１０００は、グリーン１０７０上でホール１０８０の近くにおり、第２のゴルフクラブ１３００でゴルフショットを行った。しかし、図４中、ゴルファー１０００は第２のゴルフボール２１００においてスイングした。
【００３６】
ゴルファー１０００は、図４において、図２と実質的に同様に第２のゴルフクラブ１３００でスイングし、そしてスイングの間、第２の目標スポット１３１０を目指し、そして第２のゴルフボール２１００を打ったときに、実質的に同様に第２の弾道１３２０を達成した。しかし、第２のゴルフボール２１００と第１のゴルフボール１１００との間のボール構造構成要素の差異のために、第２の接触スポット１３３０と第２の停止スポット１３４０との間で第２のゴルフボール２１００が移動した様式は、第２の接触スポット１３３０と第２の停止スポット１３４０との間で第１のゴルフボール１１００が移動した様式とは異なる。ゴルファー１０００は、図４において、図２と実質的に同様に第２のゴルフクラブ１３００をスイングしたため、これらの差異は、初期角、ボールバックスピン、ボールサイドスピンおよび初速などのゴルフショットパラメーターに影響を及ぼした第２のゴルフボール２１００と第１のゴルフボール１１００との間の基礎のボール構造構成要素における差異による。
【００３７】
例えば、第２のゴルフボール２１００の１つまたは複数のボール構造構成要素の差異は、第２のゴルフクラブ１３００と実質的に同一のスイングから生じる第１のゴルフボール１１００のボールバックスピンと比較して増加した第２のゴルフクラブ１３００のスイングから生じる第２のゴルフボール２１００のボールバックスピンを生じ得る。ボール構造構成要素の差異による第２のゴルフボール２１００の増加したボールバックスピンは、ゴルファーが、第２のゴルフクラブ１３００で第２のゴルフボール２１００を打ったときに達成される第２のゴルフボールの最終位置をより正確に制御するために役立ち得る。
【００３８】
そのうえ、第１のゴルフクラブ１２００で打ったときにボールバックスピンを低減させ得る第２のゴルフボール２１００のボール構造構成要素の異なる構成は、第２のゴルフクラブ１３００で打ったときにもボールバックスピンを有利に増加させ得る。言い換えると、２つのゴルフボールのボール構造構成要素間の構成の差異は、２種以上のゴルフクラブによるスイングから得られる結果を改善し得る。第１のゴルフボール１１００の多数のボール構造構成要素のいずれかの構成における変更も、したがって、２種以上のゴルフクラブによる、ゴルフコースにおける改善された性能をもたらし得る。
【００３９】
第１のゴルフボール１１００の多数のボール構造構成要素のいずれも、ゴルフクラブ１２００および１３００で打つときの第１のゴルフボール１１００の性能を変更するために、変更されてもよい。図７に示されるように、第１のゴルフボール１１００は、第１の層１１５１、第２の層１１５２および第３の層１１５３を含む３ピースまたは３層構造を有するように構成されてもよい。しかし、第１のゴルフボール１１００の構成は、ゴルフボール１１００がより多くのピースつまり層、あるいはより少ないピースつまり層を有するように変更されてもよい。例えば、図８に示されるように、第１のゴルフボール１１００は、第１の層１１５１、第２の層１１５２、第３の層１１５３および第４の層１１５４を含む４ピースまたは４層構造を有するように構成されてもよい。あるいは、図９に示されるように、第１のゴルフボール１１００は、第１の層１１５１および第２の層１１５２のみを含む２ピースまたは２層構造を有するように構成されてもよい。
【００４０】
あるいは図１０は、第１の層１１５１、カバー層が、第１の数のディンプル１１５５を有する構成を有するものとして第１のゴルフボール１１００を示す。しかし、第１のゴルフボール１１００の構成は、ゴルフボール１１００がより多くのディンプルまたはより少ないディンプルを有するように変更されてもよい。図１１に示される例のように、第１のゴルフボール１１００は、図１０の第１の数のディンプル１１５５より多い、第２の数のディンプル１１５５を有するように構成されてもよい。対照的に、図１２に示される例の場合のように、第１のゴルフボール１１００は、第１の数のディンプル１１５５より少ない第３の数のディンプル１１５５を有するように構成されてもよい。
【００４１】
同時に、図１３は、第１の層１１５１、カバー層が第１の厚さを有する構成を有するものとしてゴルフボール１１００を示す。他の構成において、第１の層１１５１は、他の厚さを有するように変更されてもよい。図１４に示される一例においては、第１の層１１５１は、第１の厚さより大きい第２の厚さを有するように構成されている。図１５に示される別の例においては、第１の層１１５１は、第１の厚さより小さい第３の厚さを有するように構成されている。
【００４２】
ゴルフボール１１００の他のボール構造構成要素も、同様に別の構成を有してもよい。例えば、図７〜９に示されるゴルフボール１１００の層１１５１〜１１５４のいずれかに組み込まれる材料の構成が変更されてもよい。そのうえ、ゴルフボール１１００の層１１５１〜１１５４のいずれかに組み込まれる材料の硬度が変更されてもよい。
【００４３】
したがって、第１のゴルフボール１１００の様々なボール構造構成要素の構成は、上記の通り、第２のゴルフボール１２００のボール構造構成要素に達するように変更されてもよい。その後、第１のゴルフボール１１００の構成の変更による性能に及ぼす影響を評価してもよい。そのような評価において、第１のデータポイント１５１は、第１のゴルフクラブ１２００で第１のゴルフボール１１００を打つことによって集められてもよく、そして第２のデータポイントは、第２のゴルフクラブ１３００で第１のゴルフボール１１００を打つことによって集められてもよい。同様に、第３のデータポイント１５３は第１のゴルフクラブ１２００で第２のゴルフボール２１００を打つことによって集められてもよく、そして第４のデータポイントは第２のゴルフクラブ１３００で第２のゴルフボール２１００を打つことによって集められてもよい。
【００４４】
図２０〜２４に示されるように、データポイント１５１〜１５４は、それぞれ、少なくとも２つの値を有し、ｘ軸１１０およびｙ軸１２０を有するｘ／ｙ座標系１００などの２値座標系で視覚的に表されてもよい。データポイント１５１〜１５４の第１の値は、それぞれの特定の打撃に関連するクラブロフトを表し得、一方、データポイント１５１〜１５４の第２の値は、それぞれの特定の打撃に関連するゴルフボールバックスピンを表し得る。ｘ／ｙ座標系１００中、データポイント１５１〜１５４の第１の値は、ｘ／ｙ座標系１００内でデータポイント１５１〜１５４のｘ座標を確立し得、そしてデータポイント１５１〜１５４の第２の値は、ｘ／ｙ座標系１００内でデータポイント１５１〜１５４のｙ座標を確立し得る。
【００４５】
したがって、上記の通り、および図２０〜２４に示されるように、データポイント１５１および１５２の第１の値は、それぞれ、（ａ）第１のクラブロフト１２０２および（ｂ）第２のクラブロフト１３０２を表し、一方、データポイント１５１および１５２の第２の値は、それぞれ、（ａ）第１のゴルフクラブ１２００で第１のゴルフボール１１００を打つことから得られるボールバックスピン値、および（ｂ）第２のゴルフクラブ１３００で第１のゴルフボール１１００を打つことから得られるボールバックスピン値を表す。同様に、データポイント１５３および１５４の第１の値は、それぞれ、（ａ）第１のクラブロフト１２０２および（ｂ）第２のクラブロフト１３０２を表し、一方、データポイント１５３および１５４の第２の値は、それぞれ、（ａ）第１のゴルフクラブ１２００で第２のゴルフボール２１００を打つことから得られるボールバックスピン値、および（ｂ）第２のゴルフクラブ１３００で第２のゴルフボール２１００を打つことから得られるボールバックスピン値を表す。
【００４６】
また、第１の線は、データポイント１５１および１５２を互いに結びつけ、第２の線は、データポイント１５３および１５４を互いに結びつけ得る。第１の線および第２の線のそれぞれは、線に沿った一組の２点のｙ値間の差と、同じ組の２点のｘ値間の差との比率（すなわち線に沿って「上昇」対「進行」の比率）である「スピン勾配」を有してもよい。例えば、第１のデータポイント１５１を第２のデータポイントに結びつける線の第１のスピン勾配２０１は、（１）第２のデータポイント１５２のｙ値および第１のデータポイント１５１のｙ値の間の差と、（２）第２のデータポイント１５２のｘ値および第１のデータポイント１５１のｘ値の間の差との比率であってもよい。第１のスピン勾配２０１は、したがって、第１のゴルフボール１１００と関連するスピン勾配であり得る。同様に、第２のスピン勾配２０２は、第２のゴルフボール２１００と関連するスピン勾配であり得る。
【００４７】
各データポイントと関連するｘ値およびｙ値は、客観的に測定された値であっても、または客観的に測定された値の縮小された、もしくは単純化された表示であってもよい。例えば、図１６に示されるように、ｘ値は、度で測定されるクラブロフトであり、一方、ｙ値は、ＲＰＭ（１分あたりの回転）で測定されるボールバックスピンである。
【００４８】
対照的に、図１７に示されるように、ｘ値は、客観的に測定された値の縮小されたか、または単純化された表示である。特に、ｘ軸は、第１のゴルフクラブ１１００でゴルフボールを打つことによって得られるデータポイント１５１が「Ｄ」として表されるｘ値を有し、一方、第２のゴルフクラブ１２００でゴルフボールを打つことによって得られるデータポイント１５２は、「Ｗ」として表されるｘ値を有するように正規化された。そのような縮小されたか、または単純化された表示において、データポイント１５１および１５２のｘ値間の差は、任意に「１」に設定されてもよく、そしてデータポイント１５１および１５２を結びつける線のスピン勾配２０１は、データポイント１５１および１５２のｙ値（すなわちボールバックスピン）の差に減少する。すなわち、スピン勾配２０１は、データポイント１５１および１５２のボールバックスピン値間の正規化された差に減少する。
【００４９】
あるいは図１８に示されるように、データポイント１５１および１５２のｘ値は、客観的に測定された値であり、一方、データポイント１５１および１５２のｙ値は、最も低いｙ値（すなわち、データポイント１５１のｙ値）と比較して正規化され、そしてＳＤと名称がつけられた数の倍数としてｙ軸１２０に沿って表される。次に、ＳＤは、ドライバーであり得る第１のゴルフクラブ１２００と関連するボールバックスピンであり得る。そのような縮小されたか、または単純化された表示において、データポイント１５１のｙ値は、１ＳＤまで縮小され、一方、データポイント１５２のｙ値は、約２．２５ＳＤまで縮小される。すなわち、スピン勾配２０１は、データポイント１５１および１５２の間のＳＤ単位の正規化された倍数における差と、データポイント１５１および１５２のｘ値（すなわち、クラブロフト）の間の差との比率になる。
【００５０】
さらに、ｘ値およびｙ値は、縮小されてもよく、あるいは単純化されてもよい。例えば、図１９に示されるように、スピン勾配２０１がデータポイント１５１および１５２の間のＳＤ単位の正規化された倍数まで縮小するように、図１７のｘ値の縮小または単純化を、図１８のｙ値の縮小または単純化と組み合わせる。
【００５１】
第１のゴルフボール１１００と第２のゴルフボール１３００との間のボール構造構成要素の異なる構成のため、第１のゴルフクラブ１２００、第２のゴルフクラブ１３００または両方で打ったときに異なるボールバックスピン測定などの異なる応答が得られてもよい。ボール構造構成要素の様々な構成において、第１のゴルフクラブ１２００または第２のゴルフクラブ１３００のいずれかによって打ったときに、第２のゴルフボール２１００のボールバックスピンは、第１のゴルフボール１１００のボールバックスピンより高いか、またはより低くてもよい。
【００５２】
例えば、図２０に示されるように、第２のゴルフボール１２００と対応するデータポイント１５３および１５４についてのボールバックスピン値は、第１のゴルフボール１１００と対応するデータポイント１５１および１５２についてのボールバックスピン値より高い。すなわち、第１のゴルフクラブ１２００または第２のゴルフクラブ１３００で打ったときに、第２のゴルフボール２１００は、第１のゴルフボール１２００より高いボールバックスピンを有するものとして測定される。対照的に、図２１に示されるように、第１のゴルフクラブ１２００または第２のゴルフクラブ１３００で打ったときに、第２のゴルフボール２１００は、第１のゴルフボール１１００より低いボールバックスピンを有するものとして測定される。したがって、図２０および２１に示されるように、第２のスピン勾配２０２および第１のスピン勾配２０１は、実質的に同様である。
【００５３】
他の構成において、第１のゴルフクラブ１２００または第２のゴルフクラブ１３００のいずれか（両方ではない）で打ったときに、第２のゴルフボール２１００のボールバックスピンは、第１のゴルフボール１１００のボールバックスピンとは異なっていてもよい。例えば、図２２に示されるように、データポイント１５３についてのボールバックスピン値は、データポイント１５１についてのボールバックスピン値より低く、一方、データポイント１５２および１５４についてのボールバックスピン値は、実質的に同様である。
【００５４】
あるいは、図２３に示されるように、データポイント１５４についてのボールバックスピン値は、データポイント１５２についてのボールバックスピン値より高く、一方、データポイント１５１および１５３についてのボールバックスピン値は、実質的に同一である。したがって、図２２および２３に示されるように、第２のスピン勾配２０２は、第１のスピン勾配２０１より高い。第１のゴルフクラブ１２００または第２のゴルフクラブ１３００のいずれか（両方ではない）に関して変化するボールバックスピン値を生じる（すなわち、バッグ全体でボールバックスピン値を変化させない）ボール構成は、ゲームのいくつかの領域で、他よりも多くのスピンを必要とするゴルファーにとって有用となり得る。
【００５５】
なおさらなる構成において、第１のゴルフクラブ１２００で打ったときに、第２のゴルフボール２１００のボールバックスピンは第１のゴルフボール１１００のボールバックスピンより低くなり得るが、第２のゴルフクラブ１３００で打ったときに、第１のゴルフボール１１００のボールバックスピンより高くなり得る。例えば、図２４に示されるように、データポイント１５３についてのボールバックスピン値は、データポイント１５１のためにボールバックスピン値より低く、そしてデータポイント１５４についてのボールバックスピン値は、データポイント１５２についてのボールバックスピン値より高い。したがって、第２のスピン勾配２０２は、第１のスピン勾配２０１より高い。
【００５６】
上記のようなデータポイントは、複合測定を含んでもよい。例えば、ｙ値（すなわち、ボールバックスピン）は、実質的に同一の条件で行われたボールバックスピンの繰り返し測定などの測定の所望の組から統計学的に引き出されてもよい。そのような測定の組から統計学的に引き出されてもよい値は、計算による平均もしくは幾何平均を含む平均値、中央値または標準偏差を含んでもよい。図２５に示されるように、例えば、データポイント１５１および１５２は両方とも、実質的に通常の分布を有する測定の組の平均値を表す複合測定を含む。
【００５７】
さらに、上記の通り、スピン勾配は、２つの異なるクラブロフトの値と関連するデータポイントから決定されてもよいが、３以上の異なるクラブロフトの値と関連するデータポイントの直線関係から決定されてもよい。そのような直線関係が決定されると、勾配はその直線関係に基づいて決定され得る。例えば、図２６に示されるように、ボールバックスピン測定に対応する４つのデータポイント１５１、１５２、１５３および１５３は、それぞれ、１０度、２０度、３０度および４０度のクラブロフトを有する４つのゴルフクラブを使用して得られた。線形回帰法（最小二乗法）などの標準統計法を使用して、データポイント１５１〜１５４に最も適合する直線関係（すなわち直線方程式）が決定されてもよい。そのような直線関係が決定されると、勾配２０１は、対応する直線方程式の勾配であり得る。
【００５８】
これらのデータポイントのどの数も、最も適合する直線を決定するのに用いられ得る。図２７に示されるように、ボールバックスピン測定と対応する８つのデータポイント１５１〜１５８は、５度ずつ増加する１０度〜４５度のクラブロフトを有する８つのゴルフクラブを使用して得られたものである。データポイント１５１〜１５８に最も適合する直線関係が決定され、そのような直線関係が決定されると、勾配２０１は、対応する直線の方程式の勾配であり得る。
【００５９】
直線スピン勾配に基づいてゴルフボール性能を特徴づけることに加えて、ゴルフボール性能は、クラブロフトの一般関数としてのスピンに基づいて特徴づけられてもよい。そのような別の特徴決定において、クラブロフトの関数としてのスピンは、ｘ／ｙ座標系１００の非直線関数として表されてもよい。いくつかの非直線スピン関数は、クラブロフトの複数の範囲を有すると考えられ得、そしてクラブロフトの各範囲内において、測定されたボールスピンは、別々の直線関係（様々な対応する直線の方程式を有する別々の回帰直線など）を有し得る。
【００６０】
クラブロフトは、ゴルフクラブの種々の組の中で変化してもよい。例えば、１組のゴルフクラブの中の特定の数値的に示されたゴルフクラブ（すなわち、９番アイアン）は、異なる組のゴルフクラブの中の同じ数値的な名称（すなわち、別の９番アイアン）のゴルフクラブとは異なるクラブロフトを有してもよい。したがって、スピン勾配は、異なる２組の様々なゴルフクラブ間のクラブロフトの差があっても、異なる２組のクラブロフトと対応する異なる２組のゴルフクラブを使用して別々に決定され、その後比較されるとよい。
【００６１】
上記のスピン勾配の決定は、推薦ゴルフボールの選択を提供する方法において使用されてもよい。そのような方法において、第１のスピン勾配２０１は、第１のゴルフボール１１００に関して算出され、第２のスピン勾配２０２は、第２のゴルフボール１２００に関して算出され、そして推薦ゴルフボールは、第１のスピン勾配２０１および第２のスピン勾配２０２に基づき、第１のゴルフボール１１００または第２のゴルフボール１２００のいずれかであってよい。例えば、第１のスピン勾配２０１が第２のスピン勾配２０２より高い場合、推薦ゴルフボールは第１のゴルフボール１１００であり、一方、第２のスピン勾配２０２が第１のスピン勾配２０１より高い場合、推薦ゴルフボールは第２のゴルフボール１２００であり得る。
【００６２】
図２０〜２４に関して、様々なスピン勾配を算出する際に、データポイント１５１〜１５４は、様々なゴルフクラブでゴルフボール１１００および１２００を打ったときにボールバックスピンを直接測定することによって得られてもよい。しかし、データポイント１５１〜１５４は別の方法で得られてもよい。例えば、データポイント１５１〜１５４は予め測定されてもよく、そして推薦ゴルフボールの選択を提供する方法への数値情報として役立ち得る。
【００６３】
上記の通り、データポイント１５１〜１５４は、実質的に同一の条件で得られてもよい。例えば、データポイント１５１および１５２の組、ならびにデータポイント１５３および１５４の組の両方が、機械的に、または機械をベースとして、または別の方法で自動化されたゴルフボールの打撃によって収集されてもよい。別の方法において、１組のデータポイントは、参照ゴルフボールをプレーヤーが打つことから得られて、そして他の組は、参照ゴルフボールと対応する測定の参照の組であってもよい。参照ゴルフボールは、データポイントを収集する際に使用される、あらかじめ選択されたゴルフボールであってもよいか、またはＵＳＧＡ校正もしくは対照ボールなどの予め定められた構造のゴルフボールであってもよい。
【００６４】
例えば、スピン勾配に基づいて、特定のゴルフボールに特定のプレーヤーをカスタムフィットする目的のために、データポイント１５１および１５２は、参照ゴルフボールと対応する測定の参照の組でもよく、一方、データポイント１５３および１５４は、参照ゴルフボールをプレーヤーが打つことから得られてもよい。そのような方法において、第１のスピン勾配２０１が第２のスピン勾配２０２より高い場合、推薦ゴルフボールは第１のゴルフボールであり得るが、第２のスピン勾配２０２が第１のスピン勾配２０１より高い場合、推薦されるゴルフボールは、第１のゴルフボールとは異なる第２のゴルフボールであり得る。推薦ゴルフボールの選択は、次に、参照スピン勾配と、プレーヤーの打撃の測定から決定されるスピン勾配との関係に基づいて、プレーヤーに対する第１のゴルフボールまたは第２のゴルフボールのより良好な適合性を反映してもよい。
【００６５】
あるいは、プレーヤーによっては、より少ないスピン勾配を有するゴルフボールを好み得る。そのような好みは、プレーヤーの経験レベルおよびプレーヤーの好ましいボール性能特性などの要因と関連し得る。スピン勾配に基づいて、特定のゴルフボールにそのようなプレーヤーをカスタムフィットする際に、第１のスピン勾配２０１が第２のスピン勾配２０２より低い場合、推薦ゴルフボールは、第１のゴルフボールであり得るが、第２のスピン勾配２０２が第１のスピン勾配２０１より低い場合、推薦ゴルフボールは、第２のゴルフボールであり得る。
【００６６】
推薦ゴルフボールの選択を提供する方法で使用されることに加えて、スピン勾配の決定は、複数のゴルフボール構造の間で推薦ゴルフボール構造の選択を提供する方法で使用されてもよい。例えば、第１のゴルフボールは第１のボール構造を有してもよく、そして第２のゴルフボールは、第２の異なるボール構造を有してもよい。１組のスピン測定は各ゴルフボールに対して得られてもよく、それに基づいて、スピン勾配は各ゴルフボールに対して決定され得る。次いで、第１のゴルフボールと対応するスピン勾配が第２のゴルフボールと対応するスピン勾配より高い場合、推薦ゴルフボール構造は、第１のボール構造であり、または第２のゴルフボールと対応するスピン勾配が第１のゴルフボールと対応するスピン勾配より高い場合、推薦ゴルフボール構造は、第２のボール構造であり得る。
【００６７】
そのうえ、スピン勾配の決定は、１つまたは複数の特定のボール構造構成要素の推薦される構成の選択を提供する方法で使用されてもよい。例えば、第１のゴルフボールは、特定のボール構造構成要素の第１の構成を有してもよく、そして第２のゴルフボールは、同ボール構造構成要素の第２の異なる構成を有してもよい。１組のスピン測定は各ゴルフボールに対して得られてもよく、それに基づいて、スピン勾配は各ゴルフボールに対して決定され得る。次いで、第１のゴルフボールと対応するスピン勾配が第２のゴルフボールと対応するスピン勾配より高い場合、特定のボール構造構成要素の推薦される構成は、ボール構造構成要素の第１の構成で、または第２のゴルフボールと対応するスピン勾配が第１のゴルフボールと対応するスピン勾配より高い場合、特定のボール構造構成要素の推薦される構成は、ボール構造構成要素の第２の構成であり得る。
【００６８】
いくつかの方法において、複数のゴルフボール、ゴルフボール構造またはボール構造構成要素の構成の間で選択を提供するために、別のスピン勾配基準が使用されてもよい。上記の通り、第１のゴルフボール（または第１のゴルフボールのゴルフボール構造、または第１のゴルフボールと対応するボール構造構成要素の構成）が、第２のゴルフボールのスピン勾配より高いか、またはより大きいスピン勾配をもたらす場合、推薦ゴルフボールは第１のゴルフボールであり得る。対照的に、別のスピン勾配基準下で、第１のゴルフボール（または第１のゴルフボールのゴルフボール構造、または第１のゴルフボールと対応するボール構造構成要素の構成）が、第２のゴルフボールのスピン勾配より小さいか、またはより小さいスピン勾配をもたらす場合、推薦ゴルフボールは第１のゴルフボールであり得る。一般には、勾配は、水平軸に対する線の「傾き」の量の測定または程度である。したがって、本明細書に記載されるスピン勾配の相対的な計測を比較する場合、より高いか、またはより大きい勾配は、水平に対して傾きが大きいか、または大きい程度を示す勾配である。同様に、より少ないか、またはより小さい勾配は、水平に対して傾きが小さいか、または小さい程度を示す勾配である。
【００６９】
さらに、推薦ゴルフボール構造の選択を提供する方法は、推薦されるゴルフボール構造に従ってゴルフボールを製造する工程を含んでもよい。同様に、ゴルフボール構造構成要素の推薦される構成の選択を提供する方法は、ゴルフボール構造構成要素の推薦される構成に従ってゴルフボールを製造する工程を含んでもよい。
【００７０】
上記方法は、ボールスピン以外のゴルフショットパラメーターの測定を得るために使用されてもよく、そしてそれらの他のゴルフショットパラメーターに関する勾配を決定するために使用されてもよい。例えば、いくつかの方法では、飛翔距離、キャリー距離または全距離などのパラメーターに関連する測定が得られる。次いで、そのような方法では、（ａ）各組が複数のゴルフクラブと対応する測定を含有する、距離測定の組を得ること、次いで、（ｂ）距離測定の各組に対する距離勾配を決定することによって、そのパラメーターに関連する距離勾配を決定してもよい。次に、距離勾配は、各組の範囲内の２つ以上のポイント間での距離の測定間の差とクラブロフトの差との比率である。
【００７１】
加えて、上記方法は、様々なゴルフクラブに関するスピン勾配特性などの様々なゴルフクラブの性能特性を評価するために使用されてもよい。例として、上記方法は、参照ゴルフボールを使用して、互いに比較するために、複数のゴルフクラブに関するボールバックスピンなどのゴルフショットパラメーターの測定を得るために使用されてもよい。複数のゴルフクラブの各々に関して得られるボールバックスピン測定は、次いで、各クラブに関するスピン勾配を決定するために、そして、スピン勾配の比較に基づき、複数のゴルフクラブの間で、推薦されるゴルフクラブの選択を提供するために使用されてもよい。
【００７２】
校正ボールの使用が上記方法に組み込まれてもよい。校正ボールまたは対照ボールは、特定の年にＵＳＧＡ（Ｕｎｉｔｅｄ  Ｓｔａｔｅｓ  Ｇｏｌｆ  Ａｓｓｏｃｉａｔｉｏｎ）によって規定される仕様を満たすボールであり得る。校正ボールは、複数のゴルフクラブの、またはゴルファーによって行われるゴルフのスイングおよび機械によって行われるゴルフのスイングを含む複数のゴルフのスイングソースの特性を比較するために使用されてもよい。比較される特性は、したがって、様々なスイングパラメーター、打ち出し条件パラメーターおよび他のゴルフショットパラメーターを含み得る。
【００７３】
例えば、校正ボールは、制御された試験条件、例えば、実験室条件で実行されるか、屋内試験範囲を使用する試験で複数のゴルフクラブに関する１組のボールバックスピン測定を得る間に使用されてもよい。様々な試験条件が確実に実質的に同一であるよう管理されつつ得られたボールバックスピン測定は、標準工業技術および試験耐性の範囲内にある。ボールバックスピン測定に基づいて、測定間のベンチマーク直線関係が校正ボールに関して決定され得る。
【００７４】
次いで、１つまたは複数の他のボールに関して、実質的に同一の制御された試験条件で、ボールバックスピン測定が同様に行われ、これらのボールのそれぞれに関する測定間のベンチマーク直線関係が決定され得る。他のボールに関するベンチマーク直線関係の勾配は、次いで、校正ボールに関するベンチマーク直線関係の勾配に関して、正規化されて表されてよい。例えば、直線関係が直線である場合、他のボールのそれぞれに関する勾配は、校正ボールに関する勾配に対して正規化された数値であってよい。校正ボールに関する勾配は、したがって、他のボールのスピン勾配が比較され得るベースライン勾配となり得る。
【００７５】
例えば、図２０において、データポイント１５１および１５２は校正ボールと対応し、そしてデータポイント１５３および１５４は測定された別のボールと対応し得る。したがって、第１のスピン勾配２０１は、校正ボールに関するベンチマーク直線関係であり、そして第２のスピン勾配２０２は、他のボールに関する直線関係であり得る。第１のスピン勾配２０１は、１の値を有するベースライン勾配となり得る。第１のスピン勾配２０１と実質的に同一である第２のスピン勾配２０２は、ベースライン勾配と実質的に同一の値、すなわち１の値を有し得る。同様に、図２１において、第１のスピン勾配２０１は、１の値を有するベースライン勾配となり、第２のスピン勾配２０２は、実質的に同一の値を有し得る。
【００７６】
対照的に、図２２、２３および２４にそれぞれ示されるように、データポイント１５１についてのボールバックスピン値は、データポイント１５３についてのボールバックスピン値より高くなり（例えば、ドライバーで打った場合）、またはデータポイント１５２についてのボールバックスピン値は、データポイント１５４についてのボールバックスピン値より低くなり（例えば、ウェッジで打った場合）、あるいは両方であり得る。したがって、第１のスピン勾配２０１は、１の値を有するベースライン勾配となり、第２のスピン勾配２０２は、第１のスピン勾配２０１対して正規化された１より大きい値を有してもよい。
【００７７】
校正ボールに関するベンチマーク直線関係についてのベースライン勾配、ならびに他のボールに関するベンチマーク直線関係を得た場合、校正ボールを使用して、制御された試験条件外で特定のゴルファーが行ったゴルフスイングに基づいて、もう１組のボールバックスピン測定が得られ、測定間のゴルファーに基づく直線関係が、校正ボールに関して決定され得る。ゴルファーに基づく直線関係は、校正ボールに関するベンチマーク直線関係のベースライン勾配に対して正規化される数値として表されてもよい。
【００７８】
次いで、ベンチマーク直線関係のベースライン勾配を、ゴルファーに基づく直線関係の勾配と比較してもよい。そのような比較に基づき、そしてゴルファーによるゴルフショットを特徴づけ得る他のゴルフショットパラメーター、例えば、距離、ならびに費用を含む他の要因を考慮することから、非校正ボールの１つが、ゴルファーのゴルフショットと関連する１つまたは複数のパラメーターを完全にするか、または最大にするものとして推薦され得る。
【００７９】
上記のような方法は、本願の参照となる、２００９年７月７日出願の「Ｍｅｔｈｏｄ  ａｎｄ  Ｓｙｓｔｅｍ  ｆｏｒ  Ｇｏｌｆ  Ｂａｌｌ  Ｆｉｔｔｉｎｇ  Ａｎａｌｙｓｉｓ」と題された、同時係属の共同所有された米国特許であって、現在、米国特許出願第１２／４９８，３６４号明細書に開示されるシステム、および本願の参照となる２０１２年７月２６日出願の「Ｍｅｔｈｏｄ  Ａｎｄ  Ｓｙｓｔｅｍ  Ｆｏｒ  Ｄｅｖｅｌｏｐｉｎｇ  Ａ  Ｇｏｌｆ  Ｂａｌｌ  Ｃｏｎｓｔｒｕｃｔｉｏｎ」と題された、同時係属の共同所有された米国特許であって、現在、米国特許出願第１３５５９３４５号明細書に開示されるシステムなどのコンピュータに基づくボールフィッティングシステムによって実行されてもよい。
【００８０】
そのようなシステムは、限定されないが、デスクトップコンピュータ、ポータブルコンピュータ、タブレットコンピュータ、スマートフォン、および／もしくは利用者が情報を見て、ならびに／もしくは情報を伝達し合うように構成されるプロセッサーならびに／またはディスプレイを含む他のいずれかのデバイスを含み得るコンピュータを含んでもよい。コンピュータは、次に、ＣＰＵ、記憶、ディスプレイおよびデータ転送接続を含んでもよい。
【００８１】
コンピュータに基づくボールフィッティングシステムは、ゴルフショットパラメーター値と関連がある測定を得るための１つまたは複数の自動化測定デバイス、ならびにゴルフショットパラメーター測定間のスピン勾配および他の関係を決定するためのデバイスを含んでもよい。そのようなシステムは、スピン勾配および直線関係を比較するためのデバイスを含んでもよく、そしてそのような比較に基づいて複数のゴルフボール間で推薦ゴルフボールの選択を提供するために、出力装置、例えば印刷機またはディスプレイを含んでもよい。上記のような方法を実行する場合、これらのシステムは、（１）自動化測定デバイスを使用して測定を得てもよく、（２）スピン勾配を決定するために、決定デバイスを使用してもよく、（３）スピン勾配を比較するために、比較デバイスを使用してもよく、そして（４）ゴルフボール間で推薦ゴルフボールの選択を提供するために、出力装置を使用してもよい。
【００８２】
本発明の様々な実施形態を記載したが、この記載は、限定ではなく、例示することが意図され、本発明の範囲内であるより多くの実施形態および実施が可能であることは、当業者に明白であろう。したがって、本発明は、添付の請求の範囲およびそれらの均等物を除いて、限定されない。また、添付の請求の範囲内で様々な修正および変更が行われてもよい。
【図１】
2014526939.tif 000003
【図２】
2014526939.tif 000004
【図３】
2014526939.tif 000005
【図４】
2014526939.tif 000006
【図５】
2014526939.tif 000007
【図６】
2014526939.tif 000008
【図７】
2014526939.tif 000009
【図８】
2014526939.tif 000010
【図９】
2014526939.tif 000011
【図１０】
2014526939.tif 000012
【図１１】
2014526939.tif 000013
【図１２】
2014526939.tif 000014
【図１３】
2014526939.tif 000015
【図１４】
2014526939.tif 000016
【図１５】
2014526939.tif 000017
【図１６】
2014526939.tif 000018
【図１７】
2014526939.tif 000019
【図１８】
2014526939.tif 000020
【図１９】
2014526939.tif 000021
【図２０】
2014526939.tif 000022
【図２１】
2014526939.tif 000023
【図２２】
2014526939.tif 000024
【図２３】
2014526939.tif 000025
【図２４】
2014526939.tif 000026
【図２５】
2014526939.tif 000027
【図２６】
2014526939.tif 000028
【図２７】
2014526939.tif 000029
【手続補正書】
【提出日】平成26年5月12日(2014.5.12)
【手続補正１】
【補正対象書類名】明細書
【補正対象項目名】００７９
【補正方法】変更
【補正の内容】
【００７９】
上記のような方法は、本願の参照となる、２００９年７月７日出願の「Ｍｅｔｈｏｄ  ａｎｄ  Ｓｙｓｔｅｍ  ｆｏｒ  Ｇｏｌｆ  Ｂａｌｌ  Ｆｉｔｔｉｎｇ  Ａｎａｌｙｓｉｓ」と題された、同時係属中の共有に係る米国特許発明明細書に開示されるシステム、および本願の参照となる２０１２年７月２６日出願の「Ｍｅｔｈｏｄ  Ａｎｄ  Ｓｙｓｔｅｍ  Ｆｏｒ  Ｄｅｖｅｌｏｐｉｎｇ  Ａ  Ｇｏｌｆ  Ｂａｌｌ  Ｃｏｎｓｔｒｕｃｔｉｏｎ」と題された、同時係属中の共有に係る米国特許出願公開第２０１３０１９０９０４号明細書に開示されるシステムなどのコンピュータに基づくボールフィッティングシステムによって実行され得る。
【国際調査報告】
2014526939.tif 000030
2014526939.tif 000031